(57)【要約】      （修正有）【課題】操作手順が簡易で、迅速に分解及び組み立てができる、回路インタフェーススロットを有する電子装置に適用される回路インタフェース装置を提供する。【解決手段】回路インタフェース装置１０は、外殻１００及び回路板アセンブリ２００からなる。外殻一端に挿入口１２２を有する。回路板アセンブリ２００は、回路板２１０および回路板カバー２２０を有し、回路板２１０は、回路板カバー２２０上に設置される。回路板アセンブリ２００は、外殻１００内に組み込まれ、回路板カバー２２０は、回路板２１０の電気接続接点を挿入口に対応させ、且つ外殻１００は、その一端に接続部１１６を構成し、接続部１１６により回路インタフェース装置を回路インタフェーススロット内に挿入される。【選択図】図２
0003158843.tif 000002
【実用新案登録請求の範囲】
【請求項１】
回路インタフェーススロットを有する電子装置に適用される回路インタフェース装置であって、該回路インタフェース装置は、
一端に挿入口を有する外殻と、
両面に複数の電子部品を搭載すると共にその一面上の一辺側に複数の電気接点を設けた回路板を上面に設置した回路板カバーからなる、回路板アセンブリとからなり、
該回路板アセンブリを、該回路板カバーの回路板の電気接点を上記殻体の挿入口に対応して配置して該殻体内に組み込み、
該外殻の挿入口側を該回路インタフェーススロットに挿入する接続部とした、回路インタフェース装置。
【請求項２】
前記外殻は、殻体及び殻蓋からなり、
該殻体は、前記接続部とその反対側の端部を備え、
前記挿入口は、該接続部側に設置され、
該端部は、開口を開設し、
該殻蓋は、前記回路板アセンブリの一端を収容する収容部を有すると共に、該収容部を該開口より挿入して殻体に結合してなる請求項１記載の回路インタフェース装置。
【請求項３】
前記接続部及び前記回路インタフェーススロットは、ＵＳＢ（Universal Serial Bus）インタフェース規格に適合する請求項１記載の回路インタフェース装置。
【請求項４】
前記回路板は、第１定位部を有し、該回路板カバーは、第２定位部を有し、これら第１定位部と該第２定位部とが相互に組み合わさり、該回路板を該回路板カバー上に固定する請求項１記載の回路インタフェース装置。
【請求項５】
前記回路板カバーは、前記回路板との間に空間を有し、該回路板の該電子部品を収容する空間とした請求項１記載の回路インタフェース装置。
【請求項６】
前記回路板カバーは、２つのフックを更に有し、且つ該２つのフックは、該回路板カバーの相対両側に位置し、該回路板を該回路板カバー上にフックすることに用いる請求項１記載の回路インタフェース装置。
【請求項７】
前記回路板カバーは、その側辺に滑動ブロックを有し、前記殻体の内側面にこれに対応する第１滑動溝を設けると共に、該回路板カバーの該第１滑動溝端には、該滑動ブロックに当接する第１定位部を設けて該殻体内に設置された該回路板カバーを位置決めした請求項２記載の回路インタフェース装置。
【請求項８】
回路インタフェーススロットを有する電子装置に適用される回路インタフェース装置であって、該回路インタフェース装置は
一側に開口を有する殻体と、
一側に回路板カバーを有する回路板と、
を備え、
該殻体の一面には開口した凹部を有し、且つ該回路板は、上記の殻体の開口から該殻体の中に挿入設置され、該回路板カバーを該凹部から外部に出した回路インタフェース装置。
【請求項９】
前記殻体内に滑動溝を設け、且つ該回路板は、該滑動溝の中に挿入設置される請求項８記載の回路インタフェース装置。
【請求項１０】
前記回路板の一面側に上記電子装置に接続する複数の電気接続接点を配置し、該回路板カバー内の回路板上に少なくとも１つの電子部品を設けた請求項８記載の回路インタフェース装置。
【請求項１１】
前記開口箇所に殻蓋を設けた請求項８乃至１０の何れか１項に記載の回路インタフェース装置。
【考案の詳細な説明】
【技術分野】
【０００１】
本考案は、回路インタフェース装置に関し、特に電子装置に応用する回路インタフェース装置に関する。
【背景技術】
【０００２】
ＵＳＢ（Universal Serial Bus）伝送インタフェースは、ホットプラグ、プラグアンドプレイ等の機能、伝送速度が速い、及び携帯に便利等の多くの利点を有するので、各種パソコン周辺装置及び消費性電子製品に幅広く応用され、例えば、携帯型のメモリ、無線受信器等の装置は、何れもＵＳＢインタフェースのコネクタを使用してパソコンのＵＳＢ規格の電気的スロットに接続する。しかしながら、上記携帯型のメモリ又は無線受信器は、何れも体積が大き過ぎるという欠点を有し、使用上、不注意の衝突により装置及びパソコンを損壊する状況を招く。
【０００３】
上記欠陥を改善する為、関連業界は、多くの新たな方式を提出しており、例えば、米国特許告第７１６５９９８号が開示するＵＳＢ応用装置の改良構造は、その設計概念が二層回路板を使用することにより、ＵＳＢ応用装置全長を縮減する効果を達成するというものであるが、別方面の問題も引き起こし、ＵＳＢ応用装置の電気接続接点を回路板上に直接設置することにより、回路板を介して直接的にパソコンのＵＳＢスロットと電気接続するが、回路板が外殻層内に組み込まれているので、回路板下方が支持されていない構造になり、回路板が懸置される状況となり、ＵＳＢ応用装置をスロット中に安定して固定することができない。従って、米国特許第７１６５９９８号中の支持構造及び前端保護層を設計し回路板を支持しており、外殻層によりコネクタをカバーする必要がある。
【０００４】
このように、上記公知のＵＳＢ応用装置は、二層回路板の構造を介して全体的体積を縮小し、その全長を短縮する。しかしながら、ＵＳＢ応用装置は、複数の部材を使用し、回路板を支持し、構造上、相当複雑であり、製造加工の難易度が高く、且つ支持構造及び前端保護層は、接着剤による接合を採用し、殻体層内に組み込み、緊密接合の効果を達成することができるが、組み立て時に多くの工程及び人力を要し、組み立てプロセスをより複雑にする。また、ＵＳＢ応用装置は、接着剤接合の方式で緊密接合されているためＵＳＢ応用装置が自由に分解できず、外殻体層を分解する場合は破壊することとなり、ＵＳＢ応用装置が使用できなくなり、修理において、大きな負担を招く。
【０００５】
上記特許出願に基づき、ロジテック社（Logitech）は、ＮＡＮＯ系列ノート型パソコン専用無線レーザマウスの受信器を開発し、ロジテック社の受信器は、二層回路板を有し、２つのプラスチック部材で二層回路板の一端を挟持し、露出した二層回路板は、金属材質の外殻でカバーし、完全な外形の受信機を構成している。しかしながら、ロジテック社が開発した受信機は、プラスチック部材及び金属材質の外殻を採用し回路板を完全にカバーするため製造コストの増加を招き、また、異なる外観設計と組み合わせることができず、例えば、異なる材質及び色を使用することができず、市場の要求に応じて好適な設計感を有する外観を提供することができない。
【先行技術文献】
【特許文献】
【０００６】
【特許文献１】特開２００６−５９８６８号公報
【考案の概要】
【考案が解決しようとする課題】
【０００７】
以上の問題に鑑み、本考案は、従来技術における、ＵＳＢ応用装置構造が複雑であり、接着剤接合の方式で組み立てを行うか、金属材料をＵＳＢ応用装置部品の材質として選択し、より多くの工程を費やす必要があるだけでなく、組み立て上、難易度を有し、組み立てプロセスが複雑で、製造コストを増加する等の問題を引き起こすことを解決する回路インタフェース装置を提供する。
【課題を解決するための手段】
【０００８】
本考案が開示する回路インタフェース装置は、電子装置に応用され、且つ電子装置は、回路インタフェーススロットを有する。回路インタフェース装置は、外殻及び回路板アセンブリからなる。外殻一端に挿入口を有する。回路板アセンブリは、回路板および回路板カバーを有し、回路板は、回路板カバー上に設置され、回路板の両面は、複数の電子部品を敷設し、回路板一側表面上に複数の電気接点を設ける。回路板アセンブリは、外殻内に組み込まれ、回路板カバーは、回路板の電気接続接点を挿入口に対応させ、且つ外殻は、その一端を接続部に構成し、接続部により回路インタフェース装置を回路インタフェーススロット内に挿入される。
【考案の効果】
【０００９】
本考案の回路インタフェース装置は、構造の相互の組み合わせにより、回路板アセンブリを殻体内に組み込み、操作手続きを簡易化し、迅速な分解及び組み立てを達成し、好適な便利性を有し、且つ回路インタフェース装置が使用する部品数量が少なく、且つ組み立てステップが簡単であり、製造組み立ての工程コストを低減することができる。また、本考案の回路板カバーは、回路板を効率的に支持することができるので、回路インタフェース装置を電子装置の回路インタフェーススロット内に安定して対応し、回路インタフェース装置の安定性を強化する。
【００１０】
更に、回路板カバーの一側は、外に露出されるので、使用者の各種外観の要求に合わせることができ、且つ異なる材質及び色の変換に運用することができ、回路インタフェース装置の設計がより柔軟性を有するようにすることができる。また、本考案の回路板が双層回路板形態を採用することにより、回路板の長さを短縮させ、回路インタフェース装置全体の体積を縮小する。
【図面の簡単な説明】
【００１１】
【図１】本考案の実施例の回路インタフェース装置及び電子装置の説明図である。
【図２】本考案の実施例の回路インタフェース装置の分解説明図である。
【図３】本考案の実施例の回路インタフェース装置の組み合わせ説明図である。
【図４】本考案の実施例の回路板アセンブリの分解説明図である。
【図５】図３の断面説明図である。
【図６】図３の他の断面説明図である。
【図７】図３の他の立体断面説明図である。
【図８】本考案の他の実施例の回路インタフェース装置の分解説明図である。
【図９】本考案の他の実施例の回路板アセンブリの分解説明図である。
【図１０】本考案の他の実施例の回路板アセンブリの断面説明図である。
【考案を実施するための形態】
【００１２】
図１は、本考案の実施例の回路インタフェース装置及び電子装置の説明図である。図２〜図４は、本考案の実施例の回路インタフェースの説明図である。図１に示すように、本実施例の回路インタフェース１０は、電子装置２０に適用され、電子装置２０は、回路インタフェーススロット２２を有し、回路インタフェース装置１０をその中に電気的に挿入設置させることに用いる。本実施例中、電子装置２０は、ノート型パソコン、デスクトップ型パソコン及び超携帯型パソコン（ultra mobile  personal computer, UMPC）等であるが、これに制限するものではない。
【００１３】
本考案が提供する回路インタフェースは、ＵＳＢ（Universal Serial Bus）規格の接続インタフェースを指し、回路インタフェース装置１０は、携帯型のメモリ又は赤外線受信器、ＲＦ受信器、赤外線受信器等の無線受信器（DONGLE）、又はその他のＵＳＢ規格インタフェース装置１０を指し、ＩＥＥＥ１３９４、ＨＤＭＩインタフェース規格等に応用することもできる。以下の本考案の詳細な説明において、ＵＳＢインタフェースを本考案の好適実施例とするが、図面は、参考及び説明用に提供するだけであり、本考案の保護範囲を制限することに用いるものではない。
【００１４】
図２、図３及び図４において、本実施例の回路インタフェース装置１０は、外殻１００及び回路板アセンブリ２００を備える。外殻１００は、殻体１１０及び殻蓋１３０を有し、回路板アセンブリ２００は、回路板２１０及び回路板カバー２２０から構成される。そのうち、回路板アセンブリ２００は、殻体１１０内に収容され、且つ殻蓋１３０の一端が殻体１１０内に組み付けられる。
【００１５】
ここで、殻体１１０内部に回路板アセンブリ２００を収容する空間を有し、且つ殻体１１０内部の空間は、回路板アセンブリ２００の外形寸法よりやや大きく、回路板アセンブリ２００が殻体１１０内部にちょうど収容可能となるようにする。本実施例では、殻体１１０の材質はプラスチック、強化プラスチック又はポリマー等の非金属材質から形成されることができるが、これに制限するものではない。
【００１６】
そのうち、回路板２１０は、回路板カバー２２０上に組み付けられ、回路板２１０の２つの相対する面上にそれぞれ複数の電子部品２１４を敷設し、両面実装回路板の形態を構成し、且つ回路板２１０のうちの一側面上に複数の電気接続接点２１２を敷設する。回路板２１０の一端には、第１定位部２１６を設け、且つ第１定位部２１６の外型は、例えば、凹溝である。
【００１７】
回路板カバー２２０は、滑動ブロック２２２及び第２定位部２２４を有し、滑動ブロック２２２は、回路板カバー２２０の側辺に設置され、第２定位部２２４は、回路板カバー２２０の一面に突出し、前記第１定位部２１６の位置に相対する。本実施例中、第１定位部２１６及び第２定位部２２４は、外形上、相互に補い合い、第２定位部２１６の外形は、例えば、凸ブロックであり、凹溝である第１定位部２１６と組み合わさる。このように、第１定位部２１６及び第２定位部２２４の形状が相互に組み合わさることにより、回路板２１０を回路板カバー２２０上に固定することができる。ここで、注意すべきことは、本考案は、第１定位部２１６及び第２定位部２２４の外形及び結合方式を限定するものではなく、本考案のその他の実施例において、第１定位部２１６及び第２定位部２２４は、その他の形式で１つに結合されることもできるということである。
【００１８】
殻体１１０の一外面上に凹部１１２及び嵌合溝１１４を開設し、回路板カバー２２０の該嵌合溝１１４に対応する一面に嵌合ブロック２２６を凸設し、回路板アセンブリ２００が殻体１１０内に組み付けられる時、回路板カバー２２０の嵌合ブロック２２６と殻体１１０の嵌合溝１１４が相互に嵌合して回路板アセンブリ２００及び殻体１１０を１体にしっかりと結合し、脱落しないようにする。このように、嵌合ブロック２２６及び嵌合溝１１４が嵌合して回路板アセンブリ２００及び殻体１１０を固定することにより、組み立て後の回路板アセンブリ２００及び殻体１１０の間の前後の滑動移動を防止することができる。更に、回路板アセンブリ２００が殻体１１０内に組み込まれる時、回路板カバー２２０の一面及び殻体１１０の外面は、平面であるので、回路板カバー２２０の該面は、殻体１１０の外表面となり、即ち、回路板カバー２２０が凹部１１２を覆うことができる。上記から分かるように、回路板カバー２２０の外面は、殻体１１０の外面となり、凹部１１２を遮蔽し、このように、殻体１１０の製造時の加工材料を省き、製造コストを節減することができる。本実施例中、回路板カバー２２０の材質は、プラスチック、強化プラスチック又は非金属材質であることができるが、これに制限するものではない。また、回路板カバー２２０の表面は、殻体１１０の外面になり、即ち回路板カバー２２０の外面は、外部に露出するようにできる。このように、回路板カバー２２０は、異なる外観の要求に応じて異なる材質及び色に変化させることができ、回路板インタフェース１０の外観造型設計を向上し、市場の競争力を増強することができる。
【００１９】
図５は、図３の断面説明図である。図１、図２及び図５において、殻体１１０は、接続部１１６及び端部１１８を備え、接続部１１６一側は、挿入口１１６ａを設け、端部１１８は、開口１１８ａを開設し、殻体１１０の内側面は、更に第１滑動溝１２０を設け、且つ回路板アセンブリ２００側面の滑動ブロック２２２は、殻体１１０内の第１滑動溝１２０の位置に対応し、回路板アセンブリ２００の回路板カバー２２０は、滑動ブロック２２２により第１滑動溝１２０に滑動的に設置され、殻体１１０内に設置される。詳細に言えば、回路板アセンブリ２００が端部１１８の開口１１８ａに挿入して殻体１１０に組み付けられる時、回路板カバー２２０の滑動ブロック２２２の第１滑動溝１２０に対応する箇所が殻体１１０内に滑り込む。ここで、滑動ブロック２２２の外形寸法は、第１滑動溝120の寸法よりやや小さく、滑動ブロック２２２を第１滑動溝１２０にちょうど滑り込ませることができ、回路板アセンブリ２００を殻体１１０内に組み合わせる。
【００２０】
また、回路板アセンブリ２００が端部１１８の開口１１８ａから殻体内に組み込まれる時、回路板２１０は、回路板カバー２２０の支持により回路板２１０の電気接続接点２１２を接続部１１６の挿入口１１６ａの位置に対応させる。使用者が回路インタフェース装置１０の接続部１１６を電子装置２０に挿入する時、接続部１１６は、回路インタフェーススロット２２中に安定して挿入されることができ、回路板２１０上の電気接続接点２１２は、回路インタフェーススロット２２と電気的に接続し、回路インタフェース装置１０を電子装置とデータの伝送を行わせることができる。
【００２１】
本実施例中、接続部１１６及び回路インタフェーススロット２２は、ＵＳＢ（Universal Serial Bus）インタフェース規格に適合する。ＵＳＢ（Universal Serial Bus）規格において、２種の異なる大きさ形状のコネクタを定義しており、１種は、シリーズＡコネクタであり、もう１種は、シリーズＢコネクタである。本実施例中、接続部１１６は、ＵＳＢ（Universal Serial Bus）シリーズＡコネクタ規格を採用し、その規格寸法は、長さ １５．７ｍｍ、幅７．５ｍｍ、高さ１２ｍｍの長方扁平な形状である。ここでは、接続部１１６は、同様規格の回路インタフェーススロット２２に接続することに用いる。
【００２２】
また、殻体１１０は、係止壁１２２を更に有し、係止壁１２２及び挿入口１１６ａは、殻体１１０の同一側面に位置し、回路板アセンブリ２００が開口１１８ａから殻体１１０内に組み込まれる時、回路板アセンブリ２００の一側は、係止壁１２２内側に係止され、即ち、回路板アセンブリ２００は、滑動ブロック２２２により第１滑動溝１２０に滑り込み、定位され、回路板アセンブリ２００は係止壁１２２の係止を受けて移動を停止させ、回路板アセンブリ２００に円滑に定位を達成し、組み立てを完成させることができる。
【００２３】
図６は、図３の他の断面説明図である。図７は、図３の他の立体断面説明図である。図２、図６、図７において、殻体１３０は、収容部１３２を有し、この収容部１３２は、殻体１１０の端部１１８に設置され、且つ収容部１３２に第２滑動溝１３２ａを有し、回路板アセンブリ２００は、滑動ブロック２２２により第２滑動溝１３２ａ内に滑動設置し、回路板アセンブリ２００を殻蓋１３０内に収容させる。
【００２４】
上記のように、殻蓋１３０の相対する二面は、それぞれ突起部１３４を備え、且つ殻体１１０内部の殻蓋１３０に対応する二面は、それぞれこれらに対応する凹部１２４を有し、この凹部１２４は、開口１１８ａ近傍にあって、殻体１３０は、突起部１３４及び殻体１１０内部の凹部１２４により相互に嵌合する。殻蓋１３０が収容部１３２により開口１１８ａから殻体１１０の端部１１８に組み込まれる時、殻体１３０二面の突起部１３４は、凹部１２４に対応して嵌合し、殻蓋１３０及び殻体１１０の端部１１８を安定して１つに結合し、殻蓋１３０の殻体１１０内で滑動移動し、脱落を引き起こすことを防止する。
【００２５】
また、回路板２１０上に敷設する電子部品２１４は、多いので、回路板カバー２２０は、収容空間２２８を更に有する。回路板２１０及び回路板カバー２２０が１つに結合する時、回路板２１０の一面及び回路板カバー２２０の間に収容空間２２８を形成し、この収容空間２２８は、回路板２１０側の電子部品２１４を収容する空間となる。このように、回路板２１０一側面及び回路板カバー２２０の間に位置する電子部品２１４に保護を受けさせるだけでなく、電子部品２１４を回路板２１０の両面に搭載することができ、これにより、回路板２１０の長さを短縮し、回路インタフェース１０の全体の体積を縮小する。
【００２６】
回路板アセンブリ２００を円滑に殻体１１０内に組み込むことができるようにするため、第１滑動溝１２０の一端にガイド段１２０ａ、例えば、ガイド角を設け、ガイド段１２０ａにより第１滑動溝１２０の一端の幅を増加し、このように、回路板カバー２２０の滑動ブロック２２２がガイド段１２０ａにより、第１滑動溝１２０中に容易に滑り込むことができ、組み立てをより便利にすることができる。
【００２７】
図８〜図１０は、本考案の他の実施例の回路インタフェース装置の説明図である。本実施例及び第１実施例の構成要素部分は、ほぼ同一であり、同一又は相似する部材の符号は、同一又は相似する部材を意味する。図８、図９、図１０において、本実施例の回路インタフェース装置１０は、外殻１００及び回路板アセンブリ２００を有する。外殻１１０は、殻体１１０及び殻蓋１３０を備え、回路板アセンブリ２００は、回路板２１０及び回路板カバー２２０から構成される。そのうち、回路板アセンブリ２００は、殻体１１０内に収容され、殻蓋１３０は、収容部１３２を有し、且つ殻蓋１３０は、収容部１３０を殻体１１０内に挿入して組み込まれる。
【００２８】
本実施例の回路板カバー２２０は、更に２つのフック２３０を有し、且つ２つのフック２３０は、回路板カバー２２０の相対する両側に位置し、回路板２１０を回路板カバー２２０上にフックさせることに用いる。回路板２１０は、回路板カバー２２０上に組み込まれる時、回路板２１０の両側辺は、フック２３０上部の斜面からフック２３０に押圧されて、フック２３０は弾性変形して外向きに拡張し、その後、回路板２１０がフックされた後、フック２３０が元の位置に回復しようとして回路板２１０を回路板カバー２２０上にしっかりと固定する。
【００２９】
ここで、本実施例の回路アセンブリは、回路板２１０の第１定位部２１６及び回路板カバー２２０の第２定位部２２４の間が相互に組み合わさり、更にフック２３０により回路板２１０を回路板カバー２２０上にフックし、回路板２１０及び回路板カバー２２０の間の緊密度を増加する。注意すべきことは、本考案は、フック２３０の形式で回路板２１０を回路板カバー２２０上に固定することに限定するものではなく、その他の形式で相互に結合させることもできるということである。
【００３０】
また、回路板カバー２２０の一端は、結合端２３２であり、結合端２３２は、嵌合部材２３４を延伸し、嵌合部材２３４は、開口２３４ａを有し、殻蓋１３０の収容部１３２の開口２３４ａに対応する位置に傾斜ブロック１３２ｂを設け、傾斜ブロック１３２ｂは、開口２３４ａ内に嵌合して回路板カバー２２０及び殻体１３０を相互に結合させる。詳細に言えば、殻蓋１３０は、殻体１１０内に組み込まれる時、収容部１３２の傾斜ブロック１３２ｂが嵌合部材２３４の開口２３４ａに嵌合されることにより、回路板カバー２２０及び殻蓋１３０を緊密に結合し、回路板アセンブリ２００及び殻蓋１３０の間を結合させることができ、また、回路板アセンブリ２００が殻体１１０内に固定されることにより、殻蓋１３０が殻体１１０と間接的に１つに結合される。
【００３１】
上記のように、本考案の回路インタフェース装置は、各部材間の相互の組み合わせによって、容易にしっかりと１つの組み立てることができ、安定して固定された構造強度を維持できるだけでなく、組み立て工程時間を効率的に低減し、組み立ての過程をより円滑にすることができる。また、本考案の回路板カバーは、回路板と結合し、回路板アセンブリとなり、且つ回路板は、回路板カバーの支持により、回路板上の電気接続接点を挿入口に対応させることができ、回路インタフェース装置の構造強度を向上させ、回路インタフェース装置を回路インタフェーススロット内に安定して挿入設置させることができる。回路板カバーの一面は、殻体の外面とすることができ、回路板カバーに異なる材質及び色を採用して回路インタフェース装置の外観を変化させることができる。更に、本考案は、二層回路板形態に織設置され、回路板の長さを短縮し、従って、本考案は、体積を縮小する利点を有する。
【００３２】
本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３３】
１０  回路インタフェース装置
２０  電子装置
２２  回路インタフェーススロット
１００  外殻
１１０  殻体
１１２  凹部
１１４  嵌合溝
１１６  接続部
１１８  端部
１１８ａ  開口
１２０  第１滑動溝
１２０ａ  ガイド段
１２２  係止壁
１２４  凹部
１３０  殻蓋
１３２  収容部
１３２ａ  第２滑動溝
１３２ｂ  傾斜ブロック
１３４  突起部
２００  回路板アセンブリ
２１０  回路板
２１２  電気接続接点
２１４  電子部品
２１６  第１定位部
２２０  回路板カバー
２２２  滑動ブロック
２２４  第２定位部
２２６  嵌合ブロック
２２８  収容空間
２３０  フック
２３２  結合端
２３４  嵌合部材
２３４ａ  開口
【図１】
0003158843.tif 000003
【図２】
0003158843.tif 000004
【図３】
0003158843.tif 000005
【図４】
0003158843.tif 000006
【図５】
0003158843.tif 000007
【図６】
0003158843.tif 000008
【図７】
0003158843.tif 000009
【図８】
0003158843.tif 000010
【図９】
0003158843.tif 000011
【図１０】
0003158843.tif 000012
【手続補正書】
【提出日】平成22年2月10日(2010.2.10)
【手続補正１】
【補正対象書類名】実用新案登録請求の範囲
【補正対象項目名】請求項１
【補正方法】変更
【補正の内容】
【請求項１】
回路インタフェーススロットを有する電子装置に適用される回路インタフェース装置であって、該回路インタフェース装置は、
一端に挿入口を有する外殻と、
両面に複数の電子部品を搭載すると共にその一面上の一辺側に複数の電気接点を設けた回路板を上面に設置した回路板カバーからなる、回路板アセンブリとからなり、
該回路板アセンブリを、該回路板カバーの回路板の電気接点を上記外殻の挿入口に対応して配置して該外殻内に組み込み、
該外殻の挿入口側を該回路インタフェーススロットに挿入する接続部とした、回路インタフェース装置。